(57)【要約】【課題】光線束同士の間隔を任意に調整することができる、光源装置を提供する。また、前記光源装置を備えたプロジェクターを提供する。【解決手段】複数の光線からなる光線束を射出する光源ユニットと、第１の光学素子と第２の光学素子とを含む複数の光学素子を備えるとともに、光線束の断面を第１の方向と平行な方向に縮小する縮小光学系と、を備える光源装置であって、複数の光学素子の各々は、第１の反射面および第２の反射面を備えるとともに、複数の光線のうち対応する光線を第１の反射面と第２の反射面とでこの順に反射させることで、該光線の光路を第１の方向と平行な方向にシフトするように構成され、第１の光学素子が備える第２の反射面は、偏光分離特性を有する光源装置に関する。【選択図】図３
2016186909.tif 000002
【特許請求の範囲】
【請求項１】
複数の光線からなる光線束を射出する光源ユニットと、
第１の光学素子と第２の光学素子とを含む複数の光学素子を備えるとともに、前記光線束の断面を第１の方向と平行な方向に縮小する縮小光学系と、
を備える光源装置であって、
前記複数の光学素子の各々は、第１の反射面および第２の反射面を備えるとともに、前記複数の光線のうち対応する光線を前記第１の反射面と前記第２の反射面とでこの順に反射させることで、該光線の光路を前記第１の方向と平行な方向にシフトするように構成され、
前記第１の光学素子が備える前記第２の反射面は、偏光分離特性を有する
光源装置。
【請求項２】
前記複数の光線のうち前記第１の光学素子に対応している光線は、前記第１の光学素子が備える前記第２の反射面にＳ偏光として入射し、
前記複数の光線のうち前記第１の光学素子と対応していない光線は、前記第１の光学素子が備える前記第２の反射面に対するＰ偏光である
請求項１に記載の光源装置。
【請求項３】
前記光線束は、前記第１の方向と交差する第２の方向に沿って前記縮小光学系に入射し、
前記第２の光学素子は、前記第２の方向において前記第１の光学素子とは異なる位置に設けられている
請求項１又は２に記載の光源装置。
【請求項４】
前記複数の光学素子の各々は、プリズムから構成される
請求項１〜３のいずれか一項に記載の光源装置。
【請求項５】
前記縮小光学系を通過した前記光線束が入射する第１のレンズアレイと、該第１のレンズアレイの後段に設けられた第２のレンズアレイと、を含むインテグレーターレンズと、
前記インテグレーターレンズを通過した前記光線束が入射する蛍光体層と、
をさらに備え、
前記複数の光線のうち第１の光線および第２の光線は、前記光線束によって照明される被照明領域に入射する際、互いに隣り合っており、
前記第１の光線および前記第２の光線が前記第１のレンズアレイに入射する際、前記第１の光線と前記第２の光線との間隔は、前記第１のレンズアレイが備える複数のレンズのピッチの非整数倍である
請求項１〜４のいずれか一項に記載の光源装置。
【請求項６】
請求項１〜５のいずれか一項に記載の光源装置と、
前記光源装置から射出された光を画像情報に応じて変調することにより画像光を形成する光変調装置と、
前記画像光を投射する投射光学系と、を備える
プロジェクター。
【発明の詳細な説明】
【技術分野】
【０００１】
本発明は、光源装置およびプロジェクターに関するものである。
【背景技術】
【０００２】
近年、プロジェクター用光源装置では、複数の光源から蛍光体層に光を照射することで生成した蛍光を画像光として利用している。蛍光体の変換効率は励起光のエネルギー密度が高いと低下することがわかっているため、蛍光体層を均一に照明するのが望ましい。複数の光源からの光で蛍光体層を均一に照明するには、拡散板のような均一化手段を用いる必要がある。中でも、インテグレーターレンズは拡散板に比べて損失が小さく効率が高いため、有効な手段として頻繁に使用されている。
【０００３】
また、近年、光源装置および該光源装置を備えたプロジェクターのさらなる小型化が要求されている。そこで、インテグレーターレンズのサイズを小さくすることで、光源装置を小型化することが考えられる。例えば、複数の光源から射出された複数の光線束を、インテグレーターレンズに入射する前の段階で縮小することが考えられる。
【０００４】
下記特許文献１には、１つのプリズムを用いて複数の光線束を縮小する技術が開示されている。
【先行技術文献】
【特許文献】
【０００５】
【特許文献１】米国特許出願公開第２００４／０２５２７４４号明細書
【発明の概要】
【発明が解決しようとする課題】
【０００６】
しかしながら、１つのプリズムを用いて複数の光線束を縮小した場合、複数の光線束同士の間隔を任意に調整することができない。そのため、例えば、光線束同士の間隔がインテグレーターレンズにおける各レンズのピッチの整数倍に一致してしまうと、蛍光体層を均一に照明することができなくなる虞があった。
【０００７】
本発明は、上記の課題を解決するためになされたものであり、光線束同士の間隔を任意に調整することができる、光源装置を提供することを目的の一つとする。また、前記光源装置を備えたプロジェクターを提供することを目的とする。
【課題を解決するための手段】
【０００８】
本発明の第１態様に従えば、複数の光線からなる光線束を射出する光源ユニットと、第１の光学素子と第２の光学素子とを含む複数の光学素子を備えるとともに、前記光線束の断面を第１の方向と平行な方向に縮小する縮小光学系と、を備える光源装置であって、前記複数の光学素子の各々は、第１の反射面および第２の反射面を備えるとともに、前記複数の光線のうち対応する光線が前記第１の反射面と前記第２の反射面とでこの順に反射させることで、該光線の光路を前記第１の方向と平行な方向にシフトするように構成され、前記第１の光学素子が備える前記第２の反射面は、偏光分離特性を有する光源装置が提供される。
【０００９】
第１態様に係る光源装置によれば、複数の光線の各々に対応して光学素子が設けられるので、複数の光線同士の間隔を第１の方向において任意に調整することができる。
また、第１の光学素子における第２の反射面は偏光分離特性を有するため、例えば、第２の光学素子に対応する光線の偏光状態を第１の光学素子に対応する光線の偏光状態と異ならせれば、第１の光学素子における第２の反射面は、第２の光学素子に対応する光線を透過させつつ、第１の光学素子に対応する光線を反射させることが可能となる。この場合、第２の光学素子から射出された光線の光路上に第１の光学素子の第２の反射面が位置した構成を採用できる。
【００１０】
上記第１態様において、前記複数の光線のうち前記第１の光学素子に対応している光線は、前記第１の光学素子が備える前記第２の反射面にＳ偏光として入射し、前記複数の光線のうち前記第１の光学素子と対応していない光線は、前記第１の光学素子が備える前記第２の反射面に対するＰ偏光であるのが好ましい。
この構成によれば、第２の光学素子から射出したＰ偏光の光路上に第１の光学素子の第２の反射面が配置された場合でも、当該Ｐ偏光は第１の光学素子の第２の反射面に進路を邪魔されることなく進行できる。
【００１１】
上記第１態様において、前記光線束は、前記第１の方向と交差する第２の方向に沿って前記縮小光学系に入射し、前記第２の光学素子は、前記第２の方向において前記第１の光学素子とは異なる位置に設けられているのが好ましい。
この構成によれば、第２の方向から平面視した場合、第１の光学素子および第２の光学素子を重なるように配置することができる。
【００１２】
上記第１態様において、前記複数の光学素子の各々は、プリズムから構成されるのが好ましい。
この構成によれば、２つの反射面の平行度はプリズム作製時の加工精度で決まる。したがって、互いに独立した二枚の反射板を配置する場合と比較して、光学素子に入射する光線の光軸と光学素子から射出した光線の光軸とを互いに平行にしやすくすることができる。
【００１３】
上記第１態様において、前記縮小光学系を通過した前記光線束が入射する第１のレンズアレイと、該第１のレンズアレイの後段に設けられた第２のレンズアレイと、を含むインテグレーターレンズと、前記インテグレーターレンズを通過した前記光線束が入射する蛍光体層と、をさらに備え、前記複数の光線のうち第１の光線および第２の光線は、前記光線束によって照明される被照明領域に入射する際、互いに隣り合っており、前記第１の光線および前記第２の光線が前記第１のレンズアレイに入射する際、前記第１の光線と前記第２の光線との間隔は、前記第１のレンズアレイが備える複数のレンズのピッチの非整数倍であるのが好ましい。
この構成によれば、第１のレンズアレイが備える各レンズにおいて第１の光線および第２の光線がそれぞれ異なる位置に入射するので、蛍光体層上での照度分布の均一性が高くなる。
【００１４】
本発明の第２態様に従えば、上記第１態様に係る光源装置と、前記光源装置から射出された光を画像情報に応じて変調することにより画像光を形成する光変調装置と、前記画像光を投射する投射光学系と、を備えるプロジェクターが提供される。
【００１５】
第２態様によれば、上記光源装置により均一性が高い光が射出されるので、品質の高い画像を表示可能なプロジェクターを実現できる。
【図面の簡単な説明】
【００１６】
【図１】第１実施形態のプロジェクターを示す概略構成図。
【図２】光源装置の構成を示す図。
【図３】第１のマルチレンズアレイと縮小光線束との関係を示した図。
【図４】第２実施形態の光源装置の要部構成を示す図。
【図５】各半導体レーザーから射出される光線の偏光状態を示した図。
【図６】（ａ）、（ｂ）はＹＺ平面に対応する光源ユニットおよび縮小光学系の構成図。
【図７】変形例に係る縮小光学系の構成を示す図。
【発明を実施するための形態】
【００１７】
以下、本発明の実施の形態について、図面を参照して詳細に説明する。
なお、以下の説明で用いる図面は、特徴をわかりやすくするために、便宜上特徴となる部分を拡大して示している場合があり、各構成要素の寸法比率などが実際と同じであるとは限らない。
【００１８】
（第１実施形態）
本実施形態のプロジェクターは、３つの透過型液晶ライトバルブを用いたプロジェクターの一例である。
図１は、本実施形態のプロジェクターを示す概略構成図である。図２は、本実施形態の照明装置を示す概略構成図である。
図１に示すように、本実施形態のプロジェクター１は、スクリーンＳＣＲ上にカラー画像を表示する投射型画像表示装置である。プロジェクター１は、光源装置２と、均一照明光学系４０と、色分離光学系３と、赤色光用の光変調装置４Ｒ，緑色光用の光変調装置４Ｇ，青色光用の光変調装置４Ｂと、合成光学系５と、投射光学系６と、を概略備えている。
【００１９】
光源装置２は、白色の照明光ＷＬを均一照明光学系４０に向けて射出する。
【００２０】
均一照明光学系４０は、ホモジナイザー光学系３１と、偏光変換素子３２と、重畳光学系３３と、を備える。
ホモジナイザー光学系３１は、第１のマルチレンズアレイ３１ａ，第２のマルチレンズアレイ３１ｂから構成されている。
【００２１】
均一照明光学系４０は、光源装置２から射出された照明光ＷＬの強度分布を被照明領域である光変調装置４Ｒ、光変調装置４Ｇ、および光変調装置４Ｂにおいて均一化する。均一照明光学系４０から射出された照明光ＷＬは色分離光学系３に入射する。
【００２２】
色分離光学系３は、光源装置２から射出された照明光ＷＬを赤色光ＬＲと緑色光ＬＧと青色光ＬＢとに分離する。色分離光学系３は、第１のダイクロイックミラー７ａと、第２のダイクロイックミラー７ｂと、第１の反射ミラー８ａと、第２の反射ミラー８ｂと、第３の反射ミラー８ｃと、第１のリレーレンズ９ａと、第２のリレーレンズ９ｂと、を備えている。
【００２３】
第１のダイクロイックミラー７ａは、光源装置２から射出された照明光ＷＬを赤色光ＬＲと、緑色光ＬＧおよび青色光ＬＢを含む光と、に分離する機能を有する。第１のダイクロイックミラー７ａは、赤色光ＬＲを透過し、緑色光ＬＧおよび青色光ＬＢを反射する。
第２のダイクロイックミラー７ｂは、第１のダイクロイックミラー７ａで反射した光を緑色光ＬＧと青色光ＬＢとに分離する機能を有する。第２のダイクロイックミラー７ｂは、緑色光ＬＧを反射し、青色光ＬＢを透過する。
【００２４】
第１の反射ミラー８ａは、赤色光ＬＲの光路中に配置されている。第１の反射ミラー８ａは、第１のダイクロイックミラー７ａを透過した赤色光ＬＲを光変調装置４Ｒに向けて反射する。第２の反射ミラー８ｂと第３の反射ミラー８ｃとは、青色光ＬＢの光路中に配置されている。第２の反射ミラー８ｂと第３の反射ミラー８ｃとは、第２のダイクロイックミラー７ｂを透過した青色光ＬＢを光変調装置４Ｂに導く。緑色光ＬＧは、第２のダイクロイックミラー７ｂで反射し、光変調装置４Ｇに向けて進む。
【００２５】
第１のリレーレンズ９ａと第２のリレーレンズ９ｂとは、青色光ＬＢの光路中における第２のダイクロイックミラー７ｂの光射出側に配置されている。第１のリレーレンズ９ａと第２のリレーレンズ９ｂとは、青色光ＬＢの光路長が赤色光ＬＲや緑色光ＬＧの光路長よりも長くなることに起因した青色光ＬＢの光損失を補償する機能を有する。
【００２６】
光変調装置４Ｒは、赤色光ＬＲを画像情報に応じて変調し、赤色光ＬＲに対応した画像光を形成する。光変調装置４Ｇは、緑色光ＬＧを画像情報に応じて変調し、緑色光ＬＧに対応した画像光を形成する。光変調装置４Ｂは、青色光ＬＢを画像情報に応じて変調し、青色光ＬＢに対応した画像光を形成する。
【００２７】
光変調装置４Ｒ、光変調装置４Ｇ、および光変調装置４Ｂには、例えば透過型の液晶パネルが用いられる。また、液晶パネルの入射側および射出側には、図示しない偏光板がそれぞれ配置されている。偏光板は、特定の偏光方向を有する直線偏光光を透過させる。
【００２８】
光変調装置４Ｒの入射側には、フィールドレンズ１０Ｒが配置されている。光変調装置４Ｇの入射側には、フィールドレンズ１０Ｇが配置されている。光変調装置４Ｂの入射側には、フィールドレンズ１０Ｂが配置されている。フィールドレンズ１０Ｒは、光変調装置４Ｒに入射する赤色光ＬＲを平行化する。フィールドレンズ１０Ｇは、光変調装置４Ｇに入射する緑色光ＬＧを平行化する。フィールドレンズ１０Ｂは、光変調装置４Ｂに入射する青色光ＬＢを平行化する。
【００２９】
合成光学系５は、赤色光ＬＲ、緑色光ＬＧ、および青色光ＬＢのそれぞれに対応した画像光を合成し、合成された画像光を投射光学系６に向けて射出する。合成光学系５には、例えばクロスダイクロイックプリズムが用いられる。
【００３０】
投射光学系６は、複数の投射レンズを含む投射レンズ群から構成されている。投射光学系６は、合成光学系５により合成された画像光をスクリーンＳＣＲに向けて拡大投射する。これにより、スクリーンＳＣＲ上には、拡大されたカラー画像が表示される。
【００３１】
以下、光源装置２について説明する。
図２に示すように、光源装置２は、複数の半導体レーザーを備えた光源ユニット２１と、縮小光学系２２と、ホモジナイザー光学系２５と、偏光ビームスプリッター２７と、第１のピックアップ光学系２８と、蛍光体層を備えた蛍光体ホイール（波長変換素子）２９と、位相差板２６と、第２のピックアップ光学系４１と、回転拡散素子４２と、を備えている。以下、偏光ビームスプリッターをＰＢＳと略称する。
【００３２】
光源ユニット２１と、縮小光学系２２と、ホモジナイザー光学系２５と、位相差板２６と、ＰＢＳ２７と、第２のピックアップ光学系４１とは、光軸ＡＸ０上に配置されている。第１のピックアップ光学系２８は、光軸ＡＸ０と直交する光軸ＡＸ１上に配置されている。
【００３３】
光源ユニット２１は、複数の半導体レーザー４３を備える。個々の半導体レーザー４３の光射出側には光を平行光束に変換するコリメーターレンズ（不図示）が設けられている。
【００３４】
複数の半導体レーザー４３は、基板４４の一面に二次元的に実装されている。半導体レーザー４３は、例えば青色の光線ＢＬを射出する。本実施形態において、光源ユニット２１は、複数の光線ＢＬからなる光線束Ｋ１を射出する。
【００３５】
図２において、複数の半導体レーザー４３が並ぶ方向をＸ軸方向とし、半導体レーザー４３から光線ＢＬが射出される方向をＹ軸方向とし、Ｘ軸およびＹ軸と垂直な方向をＺ軸方向とする。
【００３６】
半導体レーザー４３は、光軸ＡＸ０と直交する面内（ＸＺ平面内）においてアレイ状に配置されている。本実施形態では、例えば、Ｘ方向に沿って半導体レーザー１１が５個配置されたレーザー列がＺ方向に５列配置されている。つまり、合計で２５個の半導体レーザー４３が配置されている。なお、半導体レーザー４３の個数および配列は特に限定されない。
【００３７】
光源ユニット２１および縮小光学系２２は、図２において光軸ＡＸ０を中心として左右対称の構成を有する。そのため、光軸ＡＸ０を中心として左部分の構成について以下説明する。説明の便宜上、図２の光軸ＡＸ０上を含む左側の３個の半導体レーザー４３について、−Ｘ側から＋Ｘ側に向かって順に、それぞれ半導体レーザー４３Ａ、４３Ｂ、４３Ｃと称する。なお、図２は、複数のレーザー列のうち、一のレーザー列を含む断面図である。図２に描かれていない別のレーザー列においても、半導体レーザー４３Ａ、４３Ｂ、４３Ｃを同様に定義することができる。
【００３８】
縮小光学系２２は、光源ユニット２１から射出された光線束Ｋ１をＸ方向と平行な方向に圧縮して縮小光線束Ｋ１ｓとして射出するものである。縮小光学系２２から射出された縮小光線束Ｋ１ｓは、ホモジナイザー光学系２５に入射する。
【００３９】
本実施形態において、縮小光学系２２は、複数のプリズム（光学素子）を有している。図２における光軸ＡＸ０の左側の２つのプリズムについて、光源ユニット２１から遠い順に、第１のプリズム（第１の光学素子）２３と第２のプリズム（第２の光学素子）２４と称する。
【００４０】
本実施形態では、半導体レーザー４３Ａは、第１のプリズム２３の第２の反射面２３Ｂに対してＳ偏光である光線ＢＬｓを射出し、半導体レーザー４３Ｂは、第１のプリズム２３の第２の反射面２３Ｂに対してＰ偏光である光線ＢＬｐを射出する。以下、半導体レーザー４３Ａから射出された光線ＢＬｓを光線ＢＬｓａと称し、半導体レーザー４３Ｂから射出された光線ＢＬｐを光線ＢＬｐｂと称する。光線ＢＬｓａは半導体レーザー４３Ａに対応する第１のプリズム２３に入射する。光線ＢＬｐｂは半導体レーザー４３Ｂに対応する第２のプリズム２４に入射する。
【００４１】
第１のプリズム２３は、第１の反射面２３Ａおよび第２の反射面２３Ｂを有し、対応する半導体レーザー４３Ａから射出された光線ＢＬｓａの光路を変更する。第１の反射面２３Ａは第２の反射面２３Ｂと平行である。第１の反射面２３Ａおよび第２の反射面２３Ｂは、図２のＺ方向に沿って延在するストライプ状に形成されている。したがって、第１のプリズム２３は、Ｚ方向において異なる位置に配置された他のレーザー列の半導体レーザー４３Ａから射出された光の光路も同様に変更する。
【００４２】
第２のプリズム２４は、第１の反射面２４Ａおよび第２の反射面２４Ｂを有し、対応する半導体レーザー４３Ｂから射出された光線ＢＬｐｂの光路を変更する。第１の反射面２３Ａは第２の反射面２３Ｂと平行である。第１の反射面２４Ａおよび第２の反射面２４Ｂは、図２のＺ方向に沿って延在するストライプ状に形成されている。したがって、第２のプリズム２４は、Ｚ方向において異なる位置に配置された他のレーザー列の半導体レーザー４３Ｂから射出された光の光路も同様に変更する。
【００４３】
他のプリズムも同様な構成を有するため、説明を省略する。
【００４４】
本実施形態において、第１のプリズム２３は、光軸ＡＸ０方向（第２の方向）において、第２のプリズム２４とは異なる位置に設けられている。第１のプリズム２３は第２のプリズム２４を通過した光線ＢＬｐｂの近傍に配置されている。したがって、＋Ｙ方向から縮小光学系２２を平面視した場合、第１のプリズム２３および第２のプリズム２４は互いに一部が重なった状態に配置されている。
【００４５】
ところで、第１のプリズム２３あるいは第２のプリズム２４の実装位置が、所定の位置からＸ方向にずれることがある。第２のプリズム２４の実装方向が、所定の方向からＺ軸の周りにずれることもある。このような実装バラツキが生じると、第２のプリズム２４の第２の反射面２４Ｂで反射した光線ＢＬｐｂの光路上に第１のプリズム２３の第２の反射面２３Ｂが配置されてしまうこともあり得る。
【００４６】
本実施形態では、第１のプリズム２３の第２の反射面２３Ｂを、Ｓ偏光の光を反射させるとともにＰ偏光の光を透過させる偏光分離特性を有するダイクロイックミラーで構成している。そのため、例えば、上述の実装バラツキが生じることで光線ＢＬｐｂが第１のプリズム２３の第２の反射面２３Ｂに入射したとしても、該光線ＢＬｐｂはホモジナイザー光学系２５に向けて第２の反射面２３Ｂを透過することができる。
【００４７】
ここで、例えば第１のプリズム２３が備える第１の反射面２３Ａと第２の反射面２３Ｂとの平行度はプリズム作製時の加工精度で決まる。そのため、第１のプリズム２３に代えて互いに独立した二枚の反射板を配置する場合と比較して、縮小光学系２２を通過した光線ＢＬｓａの光軸を縮小光学系２２に入射する前の光線ＢＬｓａの光軸と平行にし易い。たとえば、第１のプリズム２３の実装方向が、所定の方向からＺ軸の周りにずれたとしても、ずれた角度が微小であれば、縮小光学系２２を通過した光線ＢＬｓａの光軸は縮小光学系２２に入射する前の光線ＢＬｓａの光軸と平行である。これにより、縮小光学系２２は、光源ユニット２１から射出された光線束Ｋ１の光束幅を後述のように良好に縮小することが可能となっている。
【００４８】
本実施形態において、半導体レーザー４３Ｃから射出された光は、第１のプリズム２３および第２のプリズム２４に入射することなくホモジナイザー光学系２５へ向かって直進する。本実施形態において、半導体レーザー４３Ｃは、Ｐ偏光の光線ＢＬｐ又はＳ偏光の光線ＢＬｓを射出する。
【００４９】
第１の反射面２３Ａは、光線ＢＬｓａが４５°の角度で入射するように設けられている。第２の反射面２３Ｂは、第１の反射面２３Ａで反射した光線ＢＬｓａが４５°の角度で入射するように設けられている。第２の反射面２３Ｂは、平面視において半導体レーザー４３Ｂと第２の反射面２４Ｂとの間に設けられている。
【００５０】
光線ＢＬｓａは、第１の反射面２３Ａで反射し、光線ＢＬｓａの光路は右回りに９０°折り曲げられる。次に、第１の反射面２３Ａで反射した光線ＢＬｓａは、第１のプリズム２３内を進行した後、第２の反射面２３Ｂで反射し、光線ＢＬｓａの光路は左回りに９０°折り曲げられる。このようにして、第１のプリズム２３に入射した光線ＢＬｓａは、光路が＋Ｘ方向にシフトされた光線ＢＬｓａ’として射出される。光線ＢＬｓａ’は光線ＢＬｓａと平行である。
【００５１】
第１の反射面２４Ａは、光線ＢＬｐｂが４５°の角度で入射するように設けられている。第２の反射面２４Ｂは、第１の反射面２４Ａで反射した光線ＢＬｐｂが４５°の角度で入射するように設けられている。第２の反射面２４Ｂは、平面視において第２の反射面２３Ｂと半導体レーザー４３Ｃとの間に設けられている。
【００５２】
光線ＢＬｐｂは、第１の反射面２４Ａで反射し、光線ＢＬｐｂの光路は右回りに９０°折り曲げられる。次に、第１の反射面２４Ａで反射した光線ＢＬｐｂは、第２のプリズム２４内を進行した後、第２の反射面２４Ｂで反射し、光線ＢＬｐｂの光路は左回りに９０°折り曲げられる。このようにして、第２のプリズム２４に入射した光線ＢＬｐｂは、光路が＋Ｘ方向にシフトされた光線ＢＬｐｂ’として射出される。光線ＢＬｐｂ’は光線ＢＬｐｂと平行である。
【００５３】
光軸ＡＸ０を中心とする右部分についても、同様にして、複数の光線ＢＬ各々の光路を−Ｘ方向へシフトすることができる。かくして、Ｘ方向の幅がＷ１である光線束Ｋ１は、縮小光学系２２によって、Ｘ方向の幅がＷ２である縮小光線束Ｋ１ｓに変換され、縮小光学系２２から射出される。縮小光線束Ｋ１ｓは位相差板３０を透過して、ホモジナイザー光学系２５に入射する。
【００５４】
位相差板３０は例えば１／４波長板である。光線ＢＬｓａおよび光線ＢＬｐｂはそれぞれ、位相差板３０を透過することにより、楕円偏光の光線ＢＬｓａおよび光線ＢＬｐｂに変換される。
【００５５】
ホモジナイザー光学系２５は、例えば第１のマルチレンズアレイ２５ａ，第２のマルチレンズアレイ２５ｂから構成されている。第１のマルチレンズアレイ２５ａは、等ピッチで配列された複数のレンズ２５ａｍを有する。また、第２のマルチレンズアレイ２５ｂは、上記レンズ２５ａｍと同じピッチで配列された複数のレンズ２５ｂｍを有する。ホモジナイザー光学系２５は、被照明領域における照度分布を均一にするために設けられている。
【００５６】
被照明領域における照度分布の均一性を高めるためには、縮小光線束Ｋ１ｓを構成する複数の光線同士の間隔と、第１のマルチレンズアレイ２５ａの各レンズ２５ａｍの配列ピッチＰとの関係に着目する必要がある。
【００５７】
ここで、縮小光線束Ｋ１ｓを構成する複数の光線のうち光線ＢＬｓａ’と光線ＢＬｐｂ’は、被照明領域に入射する際、互いに隣り合っているとする。また、光線ＢＬｓａ’が入射するレンズ２５ａｍを２５ａｍ１とし、光線ＢＬｐｂ’が入射するレンズ２５ａｍを２５ａｍ２とする。光線ＢＬｓａ’と光線ＢＬｐｂ’同士の間隔がレンズ２５ａｍの配列ピッチＰの整数倍である場合、レンズ２５ａｍ１における光線ＢＬｓａ’の入射位置は、レンズ２５ａｍ２における光線ＢＬｐｂ’の入射位置と同じになる。例えば、光線ＢＬｓａ’がレンズ２５ａｍ１の中心に入射するならば、光線ＢＬｐｂ’もレンズ２５ａｍ２の中心に入射する。この場合、光線ＢＬｓａ’および光線ＢＬｐｂ’はそれぞれ、被照明領域である蛍光体層４７或いは拡散反射板５２上の同じ位置に入射するので、被照明領域における照度分布の均一性を高めることができない。
【００５８】
これに対し、本実施形態では、図３に示すように、縮小光線束Ｋ１ｓを構成する複数の光線同士の間隔Ｄが配列ピッチＰの非整数倍となるように、縮小光学系２２により間隔Ｄを調整している。より詳しくは、光線ＢＬｓａ’（第１の光線）および光線ＢＬｐｂ’（第２の光線）は、被照明領域に入射する際、互いに隣り合っており、光線ＢＬｓａ’および光線ＢＬｐｂ’が第１のマルチレンズアレイ２５ａに入射する際、光線ＢＬｓａ’と光線ＢＬｐｂ’との間隔は、複数のレンズ２５ａｍのピッチの非整数倍である。これによれば、レンズ２５ａｍ１における光線ＢＬｓａ’の入射位置をレンズ２５ａｍ２における光線ＢＬｐｂ’の入射位置と異ならせることができる。よって、光線ＢＬｓａ’および光線ＢＬｐｂ’はそれぞれ、被照明領域の互いに異なる場所に入射するので、被照明領域における照度分布の均一性を高めることができる。
【００５９】
ＰＢＳ２７は、光軸ＡＸ０および光軸ＡＸ１に対して４５°の角度をなすように配置されている。ＰＢＳ２７は、入射光のうちのＳ偏光成分を反射させ、入射光のうちのＰ偏光成分を透過させる。ＰＢＳ２７で反射した光線Ｂｅは蛍光体ホイール２９に向かう。ＰＢＳ２７を透過した光線Ｂｂは回転拡散素子４２に向かう。
【００６０】
光線Ｂｅは、第１のピックアップ光学系２８に入射する。第１のピックアップ光学系２８は、光線Ｂｅを蛍光体ホイール２９上の蛍光体層４７に向けて集光させる。第１のピックアップ光学系２８は、例えば第１のピックアップレンズ２８ａ，第２のピックアップレンズ２８ｂから構成されている。
【００６１】
第１のピックアップ光学系２８を透過した光線Ｂｅは、蛍光体ホイール２９に入射する。蛍光体ホイール２９は、反射型の回転蛍光板であり、蛍光光を発する蛍光体層４７と、蛍光体層４７を支持する回転板４９と、蛍光体層４７と回転板４９との間に設けられた反射膜（図示略）と、回転板４９を駆動する駆動モーター５０と、を有する。
【００６２】
蛍光体層４７は、蛍光体粒子を含む。蛍光体粒子は、例えば、波長が約４５０ｎｍの光線ＢＬｓ（励起光）によって励起され、黄色の蛍光を射出する。蛍光体粒子としては、例えばＹＡＧ（イットリウム・アルミニウム・ガーネット）系蛍光体を用いることができる。
【００６３】
光線Ｂｂは、位相差板２６に入射する。位相差板２６は１／４波長板である。光線Ｂｂは、位相差板２６を透過することによって円偏光に変換される。位相差板２６を透過した光線Ｂｂは、第２のピックアップ光学系４１に入射する。第２のピックアップ光学系４１は、入射光を回転拡散素子４２に向けて集光させる。第２のピックアップ光学系４１は、例えば第１のピックアップレンズ４１ａ、第２のピックアップレンズ４１ｂから構成されている。
【００６４】
回転拡散素子４２は、拡散反射板５２と、拡散反射板５２を回転させるための駆動モーター５３と、を備えている。拡散反射板５２は、第２のピックアップ光学系４１から射出された円偏光の光線ＢｂをＰＢＳ２７に向けて拡散反射させる。拡散反射板５２は、拡散反射板５２に入射した光線Ｂｂをランバート反射させることが好ましい。駆動モーター５０の回転軸は、光軸ＡＸ０と略平行に配置されている。これにより、拡散反射板５２は、拡散反射板５２に入射する光の光軸に交差する面内で回転可能となっている。
【００６５】
拡散反射板５２によって反射され、第２のピックアップ光学系４１を再び透過した円偏光の光線Ｂｂは、再び位相差板２６を透過して、Ｓ偏光の光線Ｂｂとなる。
【００６６】
蛍光体ホイール２９の蛍光体層４７から射出された黄色の蛍光光と、回転拡散素子４２から射出された光線Ｂｂ（青色光）とは、ＰＢＳ２７によって合成され、白色の照明光ＷＬとなる。照明光ＷＬは、図１に示す均一照明光学系４０に入射する。
【００６７】
本実施形態の光源装置２によれば、半導体レーザー４３Ａ、４３Ｂが射出する光線ＢＬの各々に対応して第１のプリズム２３および第２のプリズム２４が設けられているので、複数の光線ＢＬ同士の間隔をＸ方向において任意に調整することができる。
【００６８】
また、本実施形態では、第１のプリズム２３に対してＳ偏光の光線ＢＬｓａを入射させるとともに、第２のプリズム２４に対してＰ偏光の光線ＢＬｐｂを入射させるようにしている。また、第２の反射面２３Ｂをダイクロイックミラーで構成することで、第１のプリズム２３に対応する光線ＢＬｓａのみを反射させつつ、第２のプリズム２４に対応する光線ＢＬｐｂを透過させている。
【００６９】
よって、仮に第１のプリズム２３および第２のプリズム２４の実装にバラツキが生じたことで光線ＢＬｐｂが第２の反射面２３Ｂに入射したとしても、該光線ＢＬｐｂは第２の反射面２３Ｂを透過してホモジナイザー光学系２５に入射することができる。すなわち、第２のプリズム２４から射出される光線ＢＬｐｂの光路上に第１のプリズム２３の第２の反射面２３Ｂが重なっても問題無いため、光線ＢＬｐｂおよび光線ＢＬｓａ同士の間隔を十分に小さくすることができる。
したがって、複数の光線ＢＬ同士の間隔を任意に調整することができる。
【００７０】
（第２実施形態）
続いて、本発明の第２実施形態に係る光源装置について説明する。本実施形態と第１実施形態との違いは、縮小光学系の構造であり、それ以外の構成は共通である。そのため、以下では、第１実施形態と共通の構成及び部材については共通の符号を用い、詳細な説明については省略する。
【００７１】
図４は本実施形態の光源装置の要部構成を示す図である。図４においては、光源装置の要部構成として、光源ユニット２１および縮小光学系１２２の構成のみを示し、他の構成要素については図示を省略する。なお、以下の図においても、図２と同様にＸＹＺ座標軸を設定して説明する。
【００７２】
図４に示すように、本実施形態の縮小光学系１２２は、第１の縮小光学系１２２Ａと、第２の縮小光学系１２２Ｂとを備えている。第１の縮小光学系１２２Ａは、第１実施形態の縮小光学系２２と同じものである。
第２の縮小光学系１２２Ｂは、第１の縮小光学系１２２Ａから射出された縮小光線束Ｋ１ｓをＺ方向において縮小する。第１の縮小光学系１２２Ａの光射出側（＋Ｙ側）に配置されている。すなわち、本実施形態の縮小光学系１２２は、光源ユニット２１から射出された光線束Ｋ１の光線幅をＸ方向およびＺ方向の２方向において縮小する。
【００７３】
図５は、光源ユニット２１の各半導体レーザー４３から射出される光線の偏光状態を示した図である。図５に示すように、光源ユニット２１は、Ｚ方向に沿って配置された５つの半導体レーザー４３からなる複数のレーザー列のうち、Ｘ方向における両端のレーザー列Ｌ１，Ｌ２の各半導体レーザー４３（図２における半導体レーザー４３Ａに相当）がＳ偏光の光線ＢＬｓを射出し、Ｘ方向における中央のレーザー列Ｌ３の各半導体レーザー４３（図２における半導体レーザー４３Ｃに相当）がＳ偏光の光線ＢＬｓとＰ偏光の光線ＢＬとを交互に射出し、レーザー列Ｌ１とレーザー列Ｌ３とに挟まれたレーザー列Ｌ４がＰ偏光の光線ＢＬｐを射出し、レーザー列Ｌ２とレーザー列Ｌ３とに挟まれたレーザー列Ｌ５がＰ偏光の光線ＢＬｐを射出する。
【００７４】
本実施形態において、第２の縮小光学系１２２Ｂは、複数のプリズムを有している。
第２の縮小光学系１２２Ｂは、後述のように、光源ユニット２１から射出される光線の偏光状態に応じて構成が変化する。
【００７５】
図６（ａ）、（ｂ）はＹＺ平面に対応する光源ユニット２１および縮小光学系１２２の構成図である。図６（ａ）は、図５におけるレーザー列Ｌ１，Ｌ２，Ｌ４，Ｌ５のいずれかに対応する位置での断面構成を示す図である。図６（ｂ）は、図５におけるレーザー列Ｌ３に対応する位置での断面構成を示す図である。なお、図６（ａ）、（ｂ）では、第１の縮小光学系１２２Ａにより光線幅が縮小された縮小光線束Ｋ１ｓを図示している。
【００７６】
図６（ａ）、（ｂ）に示すように、光源ユニット２１および第２の縮小光学系１２２Ｂは、光軸ＡＸ０を中心として上下対称の構成を有する。そのため、以下では、光軸ＡＸ０を中心として下部分の構成について説明する。
説明の便宜上、図６（ａ）の下側の３個の半導体レーザー４３について、−Ｚ側から＋Ｚ側に向かって順に、それぞれ半導体レーザー４３Ｄ、４３Ｅ、４３Ｆと称する。また、レーザー列Ｌ１，Ｌ２，Ｌ４，Ｌ５から射出されて第１の縮小光学系１２２Ａを通過した各光線について、−Ｚ側から＋Ｚ側に向かって順に、それぞれ光線Ｋ２Ａ、Ｋ２Ｂ、Ｋ２Ｃと称する。
【００７７】
また、図６（ｂ）の下側の３個の半導体レーザー４３について、−Ｚ側から＋Ｚ側に向かって順に、それぞれ半導体レーザー４３Ｄ’、４３Ｅ’、４３Ｆ’と称する。また、レーザー列Ｌ３から射出されて第１の縮小光学系１２２Ａを通過した各光線について、−Ｚ側から＋Ｚ側に向かって順に、それぞれ光線Ｋ２Ａ’、Ｋ２Ｂ’、Ｋ２Ｃ’と称する。
【００７８】
第２の縮小光学系１２２Ｂは、複数のプリズムを有している。レーザー列Ｌ１，Ｌ２，Ｌ４，Ｌ５に対応する位置において、第２の縮小光学系１２２Ｂは、図６（ａ）に示すように、４つの第２のプリズム１２４から構成されている。ここで、第２の縮小光学系１２２Ｂは、光軸ＡＸ０を中心に上下対称構造を有することから、図６（ａ）における光軸ＡＸ０の下側の２つのプリズムについて、第２のプリズム１２４ａ、１２４ｂと称する。
【００７９】
第２のプリズム１２４ｂは、第１の縮小光学系１２２Ａから射出された光線Ｋ２Ａの光路を変更するものであり、第１の反射面１２４ｂ１および第２の反射面１２４ｂ２を有する。
【００８０】
第１の反射面１２４ｂ１は、光線Ｋ２Ａが４５°の角度で入射するように設けられている。第２の反射面１２４ｂ２は、第１の反射面１２４ｂ１で反射した光線Ｋ２Ａが４５°の角度で入射するように設けられている。第２の反射面１２４ｂ２は、平面視において半導体レーザー４３Ｅと第２の反射面１２４ａ２との間に設けられている。
【００８１】
光線Ｋ２Ａは、第１の反射面１２４ｂ１で反射し、光線Ｋ２Ａの光路は左回りに９０°折り曲げられる。次に、第１の反射面１２４ｂ１で反射した光線Ｋ２Ａは、第２のプリズム１２４ｂ内を進行した後、第２の反射面１２４ｂ２で反射し、光線Ｋ２Ａの光路は右回りに９０°折り曲げられる。このようにして、第２のプリズム１２４ｂに入射した光線Ｋ２Ａは、光路が＋Ｚ方向にシフトされた光線Ｋ２Ａａとして射出される。光線Ｋ２Ａａは光線Ｋ２Ａと平行である。
【００８２】
第２のプリズム１２４ａは、第１の縮小光学系１２２Ａから射出された光線Ｋ２Ｂの光路を変更するものであり、第１の反射面１２４ａ１および第２の反射面１２４ａ２を有する。
【００８３】
第１の反射面１２４ａ１は、光線Ｋ２Ｂが４５°の角度で入射するように設けられている。第２の反射面１２４ａ２は、第１の反射面１２４ａ１で反射した光線Ｋ２Ｂが４５°の角度で入射するように設けられている。第２の反射面１２４ａ２は、平面視において半導体レーザー４３Ｆと第２の反射面１２４ｂ２との間に設けられている。
【００８４】
光線Ｋ２Ｂは、第１の反射面１２４ａ１で反射し、光線Ｋ２Ｂの光路は左回りに９０°折り曲げられる。次に、第１の反射面１２４ａ１で反射した光線Ｋ２Ｂは、第２のプリズム１２４ａ内を進行した後、第２の反射面１２４ａ２で反射し、光線Ｋ２Ｂの光路は右回りに９０°折り曲げられる。このようにして、第２のプリズム１２４ａに入射した光線Ｋ２Ｂは、光路が＋Ｚ方向にシフトされた光線Ｋ２Ｂｂとして射出される。光線Ｋ２Ｂｂは光線Ｋ２Ｂと平行である。
【００８５】
本実施形態において、半導体レーザー４３Ｆから射出されて第１の縮小光学系１２２Ａを介した光線Ｋ２Ｃは、第２のプリズム１２４ａ，１２４ｂに入射することなくホモジナイザー光学系２５へ向かって直進する。
【００８６】
一方、レーザー列Ｌ３に対応する位置において、第２の縮小光学系１２２Ｂは、複数のプリズムを有している。図６（ｂ）における光軸ＡＸ０の下側の２つのプリズムについて、光源ユニット２１から遠い順に、第１のプリズム１２３と第２のプリズム１２４ｃと称する。
【００８７】
第１のプリズム１２３は、半導体レーザー４３Ｄ’から射出された光線Ｋ２Ａ’の光路を変更する。第１の反射面１２３Ａおよび第２の反射面１２３Ｂを有する。
第２のプリズム１２４ｃは、半導体レーザー４３Ｅ’から射出された光線Ｋ２Ｂ’の光路を変更するものであり、第１の反射面１２４ｃ１および第２の反射面１２４ｃ２を有する。
【００８８】
本実施形態において、第１のプリズム１２３は、光軸ＡＸ０方向（第２の方向）において、第２のプリズム１２４ｃとは異なる位置に設けられている。第１のプリズム１２３は第２のプリズム１２４ｃを通過した光線の近傍に配置されている。したがって、＋Ｙ方向から第２の縮小光学系１２２Ｂを平面視した場合、第１のプリズム１２３および第２のプリズム１２４ｃは互いに一部が重なった状態に配置されている。
【００８９】
本実施形態においても、第２の反射面１２３Ｂを、Ｓ偏光の光を反射させるとともにＰ偏光の透過させる偏光分離特性を有するダイクロイックミラーで構成している。本実施形態では、半導体レーザー４３Ｄ’が第２の反射面１２３Ｂに対するＳ偏光の光線Ｋ２Ａ’（光線ＢＬｓ）を射出し、且つ、半導体レーザー４３Ｅ’が第２の反射面１２３Ｂに対するＰ偏光の光線Ｋ２Ｂ’（光線ＢＬｐ）を射出する。
そのため、例えば、実装時のバラツキが生じて光線Ｋ２Ｂ’が第２の反射面１２３Ｂに入射したとしても、該光線Ｋ２Ｂ’は第２の反射面１２３Ｂをホモジナイザー光学系２５に向けて透過することができる。
【００９０】
半導体レーザー４３Ｆ’から射出された光は、第１のプリズム１２３および第２のプリズム１２４ｃに入射することなくホモジナイザー光学系２５へ向かって直進する。本実施形態において、半導体レーザー４３Ｆ’は、Ｓ偏光の光線Ｋ２Ｃ’（光線ＢＬｓ）を射出する。
【００９１】
第１の反射面１２３Ａは、光線Ｋ２Ａ’が４５°の角度で入射するように設けられている。第２の反射面１２３Ｂは、第１の反射面１２３Ａで反射した光線Ｋ２Ａ’が４５°の角度で入射するように設けられている。第２の反射面１２３Ｂは、平面視において半導体レーザー４３Ｅ’と第２の反射面１２４ｃ２との間に設けられている。
【００９２】
光線Ｋ２Ａ’は、第１の反射面１２３Ａで反射し、光線Ｋ２Ａ’の光路は左回りに９０°折り曲げられる。次に、第１の反射面１２３Ａで反射した光線Ｋ２Ａ’は、第１のプリズム１２３内を進行した後、第２の反射面１２３Ｂで反射し、光線Ｋ２Ａ’の光路は右回りに９０°折り曲げられる。このようにして、第１のプリズム１２３に入射した光線Ｋ２Ａ’は、光路が＋Ｚ方向にシフトされた光線Ｋ２Ａ’’として射出される。光線Ｋ２Ａ’’は光線Ｋ２Ａ’と平行である。
【００９３】
第１の反射面１２４ｃ１は、光線Ｋ２Ｂ’が４５°の角度で入射するように設けられている。第２の反射面１２４ｃ２は、平面視において半導体レーザー４３Ｆ’と第２の反射面１２３Ｂとの間に設けられている。
【００９４】
光線Ｋ２Ｂ’は、第１の反射面１２４ｃ１で反射し、光線Ｋ２Ｂ’の光路は左回りに９０°折り曲げられる。次に、第１の反射面１２４ｃ１で反射した光線Ｋ２Ｂ’は、第２のプリズム１２４ｃ内を進行した後、第２の反射面１２４ｃ２で反射し、光線Ｋ２Ｂ’の光路は右回りに９０°折り曲げられる。このようにして、第２のプリズム１２４ｃに入射した光線Ｋ２Ｂ’は、光路が＋Ｚ方向にシフトされた光線Ｋ２Ｂ’’として射出される。光線Ｋ２Ｂ’’は光線Ｋ２Ｂ’と平行である。
【００９５】
以上述べたように本実施形態によれば、複数の半導体レーザー４３から射出された複数の光線ＢＬを含む光線束は、第１の縮小光学系１２２ＡによりＸ方向に縮小されることで光軸ＡＸ０と平行な縮小光線束Ｋ１ｓに変換される。さらに、縮小光線束Ｋ１ｓは、続けて、第２の縮小光学系１２２ＢによりＺ方向に縮小されることで縮小光線束Ｋ２ｓに変換される。縮小光線束Ｋ２ｓは、ホモジナイザー光学系２５（図２参照）に入射する。縮小光線束Ｋ２ｓは、Ｓ偏光の光線ＢＬｓ及びＰ偏光の光線ＢＬｐを含む。
【００９６】
本実施形態においても、レンズ２５ａｍの配列ピッチＰの非整数倍となるように（図３参照）、縮小光学系１２２により複数の光線ＢＬ同士の間隔を調整している。よって、光線ＢＬはそれぞれ被照明領域の互いに異なる場所に入射するので、被照明領域における照度分布の均一性を高めることができる。
なお、第１の縮小光学系１２２Ａおよび第２の縮小光学系１２２Ｂのいずれか一方のみで上記光線ＢＬ間の間隔を調整しても良いし、第１の縮小光学系１２２Ａおよび第２の縮小光学系１２２Ｂの両方で間隔調整を行っても良い。
【００９７】
また、本実施形態においても、図６（ｂ）に示すように、第１のプリズム１２３に対してＳ偏光の光線ＢＬｓを入射させるとともに、第２のプリズム１２４に対してＰ偏光の光線ＢＬｐを入射させるようにしている。また、第２の反射面１２３Ｂをダイクロイックミラーで構成することで、第１のプリズム１２３に対応する光線ＢＬｓのみを反射させつつ、第２のプリズム１２４に対応する光線ＢＬｐを透過させている。
【００９８】
よって、仮に第１のプリズム１２３および第２のプリズム１２４の実装にバラツキが生じたことで光線ＢＬｐが第２の反射面１２３Ｂに入射したとしても、該光線ＢＬｐは第２の反射面１２３Ｂを透過してホモジナイザー光学系２５に入射することができる。すなわち、第２のプリズム１２４から射出される光線ＢＬｐの光路上に第１のプリズム１２３の第２の反射面２３Ｂが重なっても問題無いため、光線ＢＬｐおよび光線ＢＬｓ同士の間隔を十分に小さくすることができる。
【００９９】
あるいは、図７に示すように、第２のプリズム１２４から射出された光線ＢＬｐの光路上に第１のプリズム１２３の第２の反射面２３Ｂを配置するようにしてもよい。このようにすれば、光線ＢＬｐおよび光線ＢＬｓを重ねることができるので、結果的に縮小光線束Ｋ２ｓの光束幅を図６（ｂ）の構成に比べて小さくできる。
【０１００】
なお、本発明は、上記実施形態の構成に必ずしも限定されるものではなく、本発明の趣旨を逸脱しない範囲において種々の変更を加えることが可能である。
例えば、上記実施形態では、縮小光学系２２、１２２を構成する光学素子としてプリズム（第１のプリズム２３，１２３、第２のプリズム２４，１２４）を用いる場合を例に挙げたが、本発明はこれに限定されない。例えば、プリズムに代えて、第１の反射面および第２の反射面を一対のミラーで構成した光学素子を用いても良い。この場合、第１の光学素子に相当する第２の反射面は偏光分離特性を有したダイクロイックミラーから構成される。
【０１０１】
また、上記実施形態では、蛍光体層４７が回転板４９上に設けられた場合を例に挙げたが、蛍光体層４７は回転しない基板上に設置されていても良い。また、回転拡散素子４２に代えて、回転しない拡散素子を用いてもよい。
【０１０２】
また、上記実施形態では、３つの光変調装置４Ｒ，４Ｇ，４Ｂを備えるプロジェクター１を例示したが、１つの光変調装置でカラー映像を表示するプロジェクターに適用することも可能である。
【０１０３】
その他、照明装置およびプロジェクターの各種構成要素の形状、数、配置、材料等については、上記実施形態に限らず、適宜変更が可能である。
また、上記実施形態では本発明による照明装置をプロジェクターに搭載した例を示したが、これに限られない。本発明による照明装置は、照明器具や自動車のヘッドライト等にも適用することができる。
【符号の説明】
【０１０４】
１…プロジェクター、２…光源装置、４Ｒ，４Ｇ，４Ｂ…光変調装置、５…合成光学系、６…投射光学系、２１…光源ユニット、２２，１２２…縮小光学系、２３…第１のプリズム（第１の光学素子）、２３Ａ，１２３Ａ…第１の反射面、２３Ｂ，１２３Ｂ…第２の反射面、２４，１２４，１２４ａ，１２４ｂ…第２のプリズム（第２の光学素子）、２４Ａ，１２４Ａ，１２４ａ１，１２４ｂ１…第１の反射面、２４Ｂ，１２４Ｂ，１２４ａ２，１２４ｂ２…第２の反射面、４７…蛍光体層、１２２Ａ…第１の縮小光学系、１２２Ｂ…第２の縮小光学系、ＢＬ，ＢＬｐ，ＢＬｓ…光線、Ｋ１，Ｋ１ｓ，Ｋ２ｓ，Ｋ２Ａ，Ｋ２Ｂ，Ｋ２Ｃ…光線束。
【図１】
2016186909.tif 000003
【図２】
2016186909.tif 000004
【図３】
2016186909.tif 000005
【図４】
2016186909.tif 000006
【図５】
2016186909.tif 000007
【図６】
2016186909.tif 000008
【図７】
2016186909.tif 000009